(57)【要約】【課題】帳票用紙にデジタルペンで書き込んだ情報以外に、捺印エリアの印影もデジタルペンで取得して印鑑照合に用いることのできる印鑑読取システムを提供する。【解決手段】デジタルペン１０は、ペン先１１ａを軸方向に移動させる駆動部１６と、ペン先１１ａの筆圧検知で起動されたカメラ１３からのドットパターンから捺印エリアの撮影と判断したとき、カメラ１３による撮影を継続させると共に、駆動部１６を駆動してペン先１１ａを先端から引っ込ませ、捺印エリアが検知されている間、カメラ１３により撮影される捺印エリア内の印影を取得して端末装置に送信する制御部１４とを備えている。【選択図】図１
2008242708.tif 000002
【特許請求の範囲】
【請求項１】
ペン先の筆圧を検知するとカメラを起動し、複数のドットが印刷された帳票用紙上の情報を前記カメラを通して読み込んで送信するデジタルペンと、該デジタルペンからの情報を受信し、前記情報に基づいて帳票用紙記入の取引内容を画面に表示する端末装置とを備えた印鑑読取システムにおいて、
前記デジタルペンは、ペン先を軸方向に移動させる駆動部と、ペン先の筆圧検知で起動されたカメラからのドットパターンから捺印エリアの撮影と判断したとき、カメラによる撮影を継続させると共に、前記駆動部を駆動してペン先を先端から引っ込ませる捺印エリア検知手段と、該捺印エリア検知手段により捺印エリアが検知されている間、カメラにより撮影される捺印エリア内の印影を取得する印影取得手段とを備え、
前記端末装置は、前記デジタルペンからの捺印エリア内の印影を受信し、印鑑照合の際、捺印エリア内の印影とその取引者の登録印鑑の印影を画面に並べて表示する印鑑照合手段を備えていることを特徴とする印鑑読取システム。
【請求項２】
前記デジタルペンは、ペン先の筆圧検知で起動されたカメラからのドットパターンからチェックボックスの撮影と判断したとき、カメラによる撮影を継続させるチェックボックス検知手段を備え、前記捺印エリア検知手段は、カメラからのドットパターンから捺印エリアの撮影と判断したとき、前記駆動部を駆動してペン先を先端から引っ込ませることを特徴とする請求項１記載の印鑑読取システム。
【請求項３】
前記捺印エリア検知手段は、カメラからのドットパターンから捺印エリアでないと判断したとき、前記駆動部を駆動してペン先を元の位置に復帰させることを特徴とする請求項１又は２記載の印鑑読取システム。
【発明の詳細な説明】
【技術分野】
【０００１】
本発明は、金融機関向け営業店端末に係わり、特に帳票用紙に捺印された印影を読み取って登録印鑑と照合可能にする印鑑読取システムに関するものである。
【背景技術】
【０００２】
銀行等の金融機関で支払取引を行う際に印鑑照合を必要とする場合、ダイレクトスキャナやフラットベッドスキャナを利用して、帳票用紙上の帳票部と捺印部のイメージデータを取得している（例えば、特許文献１参照）。
また、デジタルペンを用いて帳票用紙に書かれているドットパターンを撮影し、そのドットパターンの情報を端末装置に伝送して帳票レイアウトデータを作成している（例えば、特許文献２参照）。
【０００３】
【特許文献１】特開２００３−３２３５５３公報
【特許文献２】特開２００６−３０９３５４公報
【発明の開示】
【発明が解決しようとする課題】
【０００４】
特許文献１に記載の従来技術では、窓口にダイレクトスキャナやフラットベッドスキャナを設置するスペースが必要となり、それらを利用して帳票読取や印鑑照合をする場合は、その場所でしか帳票読取や印鑑照合を行うことができなかった。
特許文献２に記載のデジタルペンは、帳票用紙に書き込んだ情報を読み取ることができるが、捺印された印影を取得することができないため、フラットベッドスキャナが必要になっていた。
【課題を解決するための手段】
【０００５】
本発明に係る印鑑読取システムは、ペン先の筆圧を検知するとカメラを起動し、複数のドットが印刷された帳票用紙上の情報をカメラを通して読み込んで送信するデジタルペンと、デジタルペンからの情報を受信し、前記情報に基づいて帳票用紙記入の取引内容を画面に表示する端末装置とを備えた印鑑読取システムにおいて、デジタルペンは、ペン先を軸方向に移動させる駆動部と、ペン先の筆圧検知で起動されたカメラからのドットパターンから捺印エリアの撮影と判断したとき、カメラによる撮影を継続させると共に、駆動部を駆動してペン先を先端から引っ込ませる捺印エリア検知手段と、捺印エリア検知手段により捺印エリアが検知されている間、カメラにより撮影される捺印エリア内の印影を取得する印影取得手段とを備え、端末装置は、デジタルペンからの捺印エリア内の印影を受信し、印鑑照合の際、捺印エリア内の印影とその取引者の登録印鑑の印影を画面に並べて表示する印鑑照合手段を備えている。
【発明の効果】
【０００６】
本発明においては、帳票用紙にデジタルペンで書き込んだ情報以外に、捺印エリアの印影もデジタルペンで取得できるので、フラットベッドスキャナが不要になり、このため、省スペースで窓口業務を効率よく行うことができる。また、ドットパターンを通して捺印エリアを認識したとき、デジタルペンのペン先を引っ込ませるようにしたので、印影撮影時に輪郭内の文字部分にインクが付くことなく、正確な印影を取得できる。
【発明を実施するための最良の形態】
【０００７】
実施の形態１．
図１は本発明の実施の形態１を示す印鑑読取システムの構成図、図２は印鑑読取システムに用いられているデジタルペンの概略構成図である。
本実施の形態のシステムは、デジタルペン１０と、このデジタルペン１０と無線ＬＡＮ（Bluetooth 通信）を介して通信可能な端末装置２０と、複数のドットが印刷されたデジタルペン１０対応用の帳票用紙３０とでなっている。この帳票用紙３０は取引の種類に応じて用意され、印鑑を必要とする帳票用紙３０には、前記のドットパターンと異なるドットが捺印エリア３０ａ内に印刷されている。
【０００８】
端末装置２０は、ディスプレイ２０ａや、キーボード、マウスなどの入力装置（図示せず）を備え、取引業務に必要なアプリケーションプログラム、帳票用紙３０に書かれた文字をＯＣＲ認識するためのアプリケーションプログラム、帳票用紙３０の捺印エリア３０ａに捺印された印鑑の印影を取得するためのアプリケーションプログラム、印鑑照合を行うためのアプリケーションプログラム（印鑑照合手段）などを備えている。
【０００９】
デジタルペン１０は、ペン先１１ａを有するインクカートリッジ１１と、インクカートリッジ１１を着脱可能に固定するカートリッジ固定部１１ｂと、ペン先１１ａの筆圧を検出する筆圧センサ１２と、ペン先１１により帳票用紙３０に書き込まれた筆跡情報とドットを撮影する例えばＣＭＯＳのカメラ１３と、筆圧センサ１２が筆圧を検出したときにカメラ１３を起動させ、カメラ１２の撮影による筆跡情報を取り込んでメモリ１５に格納する制御部１４と、例えばカートリッジ固定部１１ｂに嵌合された突起部１６ａを有し、この突起部１６ａを軸方向に移動させてペン先１１を先端から引っ込ませたり元の位置に戻すための駆動部１６と、メモリ１５に格納された筆跡情報とドット、および後述する印影データとドットを端末装置２０に送信するための通信ユニット１７と、デジタルペン１０の電源用として設けられたバッテリ１８とで構成されている。
【００１０】
前述した制御部１４は、ペン先１１ａの筆圧検知で起動されたカメラ１３からのドットパターンから捺印エリア３０ａの撮影と判断したとき、カメラ１３による撮影を継続させると共に、駆動部１６を駆動してペン先１１ａを先端から引っ込ませ、その後、カメラ１３からのドットパターンから捺印エリア３０ａでないと判断したとき、駆動部１６を駆動してペン先１１ａを元の位置に復帰させる捺印エリア検知手段と、捺印エリア検知手段により捺印エリア３０ａが検知されている間、カメラ１３により撮影される捺印エリア３０ａ内の印影を取得する印影取得手段とを備えている。
【００１１】
次に、帳票用紙に捺印された印影を読み取るときのデジタルペンの動作について図３および図４を参照しながら説明する。図３は実施の形態１における印影読取の説明図、図４は印鑑照合時の画像図である。
帳票用紙３０に指定された捺印エリア３０ａに印鑑を捺印した後に、図３に示すようにデジタルペン１０のペン先１１ａを印影の輪郭に当ててなぞり始めると、筆圧センサ１２がペン先１１ａの筆圧を検出し、この検出により、制御部１４は、カメラ１３を起動して、カメラ１３により撮影されたドットを読み込み、このドットパターンから捺印エリア３０ａと判断したときは、カメラ１３による撮影を継続させると共に、駆動部１６を駆動してペン先１１ａを先端から引っ込ませる。そして、捺印エリア３０ａが検知されている間、カメラ１３により撮影される捺印エリア３０ａ内の印影をドットと共にメモリ１５に格納する。
【００１２】
制御部１４は、カメラを通して捺印エリア３０ａ内の印影とドットを読み込んでいるときに、ドットパターンが捺印エリア３０ａ内のドットと異なっていることを認識したときは、印影の撮影終了と判断して再び駆動部１６を駆動し、ペン先１１ａを元の位置に復帰させる。そして、先にメモリ１５に格納した帳票の必要事項毎の筆跡情報（文字）とドットおよび捺印エリア内の印影データとドットを読み出して通信ユニット１７に渡し、無線を利用して端末装置２０に送信させる。
【００１３】
一方、端末装置２０は、印鑑照合を行う際、デジタルペン１０から受信した印影データから帳票用紙３０の捺印エリア３０ａに捺印された印影を認識してディスプレイ２０ａに表示し、その取引者の登録印鑑の印影を例えばホストコンピュータから読み出して、先に表示した印影と並ぶようにディスプレイに表示する（図４参照）。
【００１４】
以上のように実施の形態１によれば、帳票用紙３０に書き込んだ文字以外に、捺印エリア３０ａの印影もデジタルペン１０で取得できるので、フラットベッドスキャナが不要になり、このため、省スペースで窓口業務を効率よく行うことができる。
また、ドットパターンを通して捺印エリア３０ａを認識したとき、デジタルペン１０のペン先１１ａを引っ込ませるようにしたので、印影撮影時に輪郭内の文字部分にインクが付くことなく、正確な印影を取得できる。
【００１５】
実施の形態２．
実施の形態１では、ペン先１１ａの筆圧検知で起動されたカメラ１３からのドットパターンから捺印エリア３０ａの撮影と判断したとき、カメラ１３による撮影を継続させると共に、駆動部１６を駆動してペン先１１ａを先端から引っ込ませるようにしたものであるが、本実施の形態２は、図５に示すように、帳票用紙３０に書き込まれた四角形のチェックボックス３０ｂにチェック記号の「レ」をデジタルペン１０で書いた際に、撮影されたドットパターンからチェックボックス３０ｂと判断した場合は、カメラ１３による撮影を継続させるモードに切り替えて、印影の撮影を可能にしたものである。
【００１６】
本実施の形態２においては、システム構成は図１で説明した実施の形態と同じであり、デジタルペン１０は、制御部１４の機能を除いて図２に示す実施の形態２と同じ構成である。実施の形態２における制御部１４は、ペン先１１ａの筆圧検知（チェック記号記入時の筆圧）で起動されたカメラ１３からのドットパターンからチェックボックス３０ｂの撮影と判断したとき、カメラ１３による撮影を継続させるモードに切り替えるチェックボックス検知手段と、モード切替によるカメラ１３からのドットパターンから捺印エリア３０ａの撮影と判断したときは、駆動部１６を駆動してペン先１１ａを先端から引っ込ませ、その後、カメラ１３からのドットパターンから捺印エリア３０ａでないと判断すると、駆動部１６を駆動してペン先１１ａを元の位置に復帰させる捺印エリア検知手段とを備えている。なお、この制御部１４は、実施の形態１と同様に、帳票用紙３０に書き込まれる筆跡情報を取得する機能も備えている。
【００１７】
このように、ペン先１１ａの筆圧検知で起動されたカメラ１３からのドットパターンからチェックボックス３０ｂの撮影と判断したとき、カメラ１３による撮影を継続させるモードに切り替えるようにしたので、捺印エリア３０ａに捺印されている印影の輪郭にペン先１１ａを当てることなく、その印影を撮影することができ、より正確な印影を取得できる。
【００１８】
なお、前述した実施の形態１、２では、デジタルペン１０と端末装置２０との間を無線ＬＡＮで結ばれていることを述べたが、ＵＳＢ接続で双方を結合するようにしても良い。また、ペン先１１ａを引っ込める手段として、ボールペンのようにペンをノックしたときにペン先１１ａが引っ込むようにしても良い。さらに、印影の輪郭にインクが付着しないようにペン先１１ａにキャップを付けるようにしても良い。
【００１９】
また、帳票用紙３０の捺印エリア３０ａに捺印された印影を取得する手段として、デジタルペン１０にシャッタボタンを取り付け、このシャッタボタンが押下されたときに捺印エリア３０ａ上の印影をカメラ１３で撮影するようにしても良い。
【図面の簡単な説明】
【００２０】
【図１】本発明の実施の形態１を示す印鑑読取システムの構成図である。
【図２】印鑑読取システムに用いられているデジタルペンの概略構成図である。
【図３】実施の形態１における印影読取の説明図である。
【図４】印鑑照合時の画像図である。
【図５】実施の形態２における印影読取の説明図である。
【符号の説明】
【００２１】
１０  デジタルペン、１１  インクカートリッジ、１１ａ  ペン先、１１ｂ  カートリッジ固定部、１２  筆圧センサ、１３  カメラ、１４  制御部、１５  メモリ、１６  駆動部、１７  通信ユニット、１８  バッテリ、２０  端末装置、３０  帳票用紙、
３０ａ  捺印エリア、３０ｂ  チェックボックス。
【図１】
2008242708.tif 000003
【図２】
2008242708.tif 000004
【図３】
2008242708.tif 000005
【図４】
2008242708.tif 000006
【図５】
2008242708.tif 000007